(57)【要約】【課題】  液晶表示パネル付きＩＪプリンタにおいて、オプションカセット装着を検出し、パネルコントラスト及び輝度を自動的に調整し、表示を操作者が見やすくする。【解決手段】  下部のオプションカセットの装着を検出する手段を有し、その信号をトリガーに輝度−電圧、或いはコントラスト−電圧特性を自動的に変更する構成を有するＩＪプリンタとする。【選択図】  図１
2007152896.tif 000002
【特許請求の範囲】
【請求項１】
下部に着脱自在な別筐体の機構部を複数段有し、且つ、表示デバイスを配設した操作パネルを有するインクジェットプリンタにおいて、複数の視野角に最適化された輝度―電圧、或いは、コントラスト−電圧特性を有する電圧ラインを設け、且つ該電圧ラインを別筐体の機構部の着脱を検出する検出手段により切り替える表示操作パネル補正装置を備える事を特徴とするインクジェットプリンタ。
【請求項２】
上記検出手段として、合体時の押圧を検出し、電圧ラインの切り替えを自動的に行う事を特徴とする請求項１に記載のインクジェットプリンタ。
【請求項３】
上記検出手段として、別筐体の機構部への電源供給もしくは、データ転送ラインに並設し、合体による導通変位を検知する検出手段を有し、電圧ラインの切り替えを自動的に行う事を特徴とする請求項１に記載のインクジェットプリンタ。
【発明の詳細な説明】
【技術分野】
【０００１】
本発明は、多段給紙機構を有するインクジェットプリンタにおける、表示パネルの視野角補正に関するものである。
【背景技術】
【０００２】
従来のインクジェットプリンタにおいて、液晶表示デバイスが組み込まれた操作パネルは、操作者から見易い天面や前面等に設けられている。そして、表示デバイスの表示に従い操作者がパネルキーを押して各種設定を行うものである。表示デバイスの設置角は、操作者の標準的な背丈を想定し、且つ操作者の視線と表示パネルの面が直交するように配置されている。
【０００３】
通常の液晶表示デバイスは、一定の視野角範囲を有しており、標準的な背丈の操作者を想定する事で、背の高い人から低い人まで対応が可能となる。
【０００４】
近年、紙種や機能の大幅な増加や機能向上の要求に伴い、インクジェットプリンタの下部に別筐体の給紙機構を複数装着できるものが増えてきている。しかしながら、別筐体の給紙機構をインクジェットプリンタの下部に載せると、操作パネルの位置も相対的に上がってしまい、液晶表示パネルが非常に見にくくなる事が多々あった。また、最近では表示デバイスのみをチルトしたり、操作パネル自体の仰角を変える機構を有するプリンタも多数出てきているが、デザイン的、コスト的に不利となっている。
【０００５】
また、特許文献１には、操作者の視点（目）の位置を計測し、表示デバイスと操作パネルの相対位置を自動的に制御する技術が提案されている。
【特許文献１】特開平５−２８９８１６号公報
【発明の開示】
【発明が解決しようとする課題】
【０００６】
従来技術で述べた通り、表示デバイスの視野設定が、インクジェットプリンタ本体のみの高さを基準にしている為、下部に複数の給紙機構付筐体を配設した場合、操作パネルの相対的な位置が、高くなり、操作者と表示デバイスに視差が生じ、表示パネルに表示されている内容が見にくくなってしまう事があった。
【０００７】
更に、環境の影響により表示パネルのコントラストが変動したり、コストダウンにより液晶表示デバイスの視野角範囲が狭いユニットも存在するため、下部に複数段の機構付筐体を設けた場合、表示パネルが非常に見えにくくなる場合もあった。
【課題を解決するための手段】
【０００８】
本考案は上述の問題点に鑑み、本体下部に多段の給紙機構を装着可能で、且つ、表示デバイスを持つ操作パネルを有するインクジェットプリンタにおいて給紙機構の装着段数に連動した視野角を輝度―電圧、或いは、コントラスト−電圧を用いて制御する事を目的とする。また、視野角を制御する為に、給紙機構部の着脱を検出する検出手段を設ける事で最適な表示パネル視野角を得ることが可能となった。
【発明の効果】
【０００９】
以上説明したように、表示デバイスの視野設定が、インクジェットプリンタ本体（単体）の高さを基準に設計されている為、下部に複数段の給紙機構付筐体を合体させた場合、操作パネルが最初に設定した高さよりも高くなり、操作者の目線と表示デバイス間に視差が生じ、表示パネルが見にくくなってしまう事が多々あった。
【００１０】
下段に給紙機構を装着すると、それに連動して視野角を輝度―電圧、或いは、コントラスト−電圧を用いて補正する。また、視野角を制御する為に、給紙機構部の着脱を検出する押圧センサーや電気接続検出手段等を設ける事で、自動的に最適な表示パネル視野角を得ることが可能となった。
【発明を実施するための最良の形態】
【００１１】
次に、本発明の詳細を実施例の記述に従って説明する。
【００１２】
[第一実施形態]
本発明に鑑み、実施形態を詳細に説明する。図１は、第一実施例を示す多段給紙機構を有するインクジェットプリンタを示す。図中、１は液晶表示パネルを示し、２はインクジェットプリンタ本体、４はインクジェット本体の下部に装着するオプションカセット（１）、５はオプションカセット（１）４の下部に装着するオプションカセット（２）である。液晶表示パネル１は、図２の操作パネル基板３に不図示のネジやモールドバネに固着されている。操作パネル基板３には、不図示の操作ボタンやＬＥＤ等の電気部品が配設されている。
【００１３】
この操作パネル基板３が本体外装の内側にねじ等で固着されており、液晶表示パネルの角度は、操作パネル基板３の取り付け角度に依存され且つ、設計者が自由に設定できるものである。
【００１４】
図３は、本体斜視図を示す。図中、液晶表示パネル１は、前面から操作者がボタン操作をし易いように中央上面に配設され、且つ液晶表示パネル１が見易いように、操作者の目線に対して液晶面が準直角になるような角度にデザインを考慮しつつ設定されている。言い換えると本体のみを机や置台に載せた場合に液晶表示パネル１の視野角の中心になるように角度を決めている。これは、操作者の身長の最大と最小の目線を包括する液晶表示パネル１の角度を設定しているものである。
【００１５】
図４は、オプションカセット（１）４とオプションカセット（２）５を合体した状態の斜視図を示す。図中、コネクタ６は本体とオプションカセット（１）４の信号伝達、及び電源の供給を行うものである。同様の物がオプションカセット（１）４とオプションカセット（２）５との接続にも使用されている。
【００１６】
このコネクタ６には不図示の複数接点が設けられており、空き接点を利用してオプションカセット（１）４が接続された場合にアースに落ちて接続検出ができる方式や、抵抗素子をオプションカセット（１）４側に設け、直接電圧を制御する方式等が挙げられる。
【００１７】
図５は、液晶表示パネル１のパネルブロック図の概略を示したものである。
【００１８】
コントロール基板からの制御信号は、タイミング制御回路を経てドレインドライバーとゲートドライバーに分割され、パネルの縦軸と横軸の画素コントロールを行う。また、輝度とコントラストは駆動電圧発生回路を経て、パネルに印加され、制御を行うものである。
【００１９】
図中、固定抵抗１、固定抵抗２が示されているが、これはオプションカセット（１）４の筐体内に、上記固定抵抗を設け、オプションカセットと本体が合体されると本体側からその抵抗値を読み取り、視角調整を行うものである。
【００２０】
最後にインクジェットプリンタ本体にオプションカセットが装着されたかを検出する検出手段としては、インクジェットプリンタ本体の底面にＯＮ/ＯＦＦスイッチを設け、通常状態では押圧され、オプションカセットが装着された場合は、天面に設けられた凹座にスイッチが入り、押圧が解除される構造を用いるか、インクジェットプリンタ本体とオプションカセットとの電源及びデータ接続用のコネクタを介して、通常状態ではオープンとなり、オプションカセットが接続されると導通する検出手段をとる。
【図面の簡単な説明】
【００２１】
【図１】第一実施例の斜視図。
【図２】操作パネル斜視図。
【図３】本体斜視図。
【図４】オプション斜視図。
【図５】パネルブロック図。
【符号の説明】
【００２２】
１  液晶表示パネル
２  インクジェットプリンタ本体
３  操作パネル基板
４  オプションカセット（１）
５  オプションカセット（２）
６  コネクタ
【図１】
2007152896.tif 000003
【図２】
2007152896.tif 000004
【図３】
2007152896.tif 000005
【図４】
2007152896.tif 000006
【図５】
2007152896.tif 000007